(57)【要約】      （修正有）【課題】吐出される液体を水槽内で拡散させ、水槽内の液体と均一に混合しやすい吐出口を提供する。【解決手段】一方の端に顎を有する液体流入用短管と、顎部の液体流入用短管と対向する面に固定され外周部に液体流出孔を有する鏡状の板からなる。鏡状の板の周縁部に、開口面と垂直方向に凹面側に向かって折曲部を有し、折曲部に切り欠きを設け、側面からも液体が流出可能である。また、鏡状の板の凹面に突起を設け、液体を整流する。【選択図】図１
0003171460.tif 000002
【実用新案登録請求の範囲】
【請求項１】
一方の端に顎を有する液体流入用短管と、前記顎部の液体流入用短管と対向する面に固定され外周部に液体流出孔を有する鏡状の板からなる吐出口
【請求項２】
前記鏡状の板の周縁部に、開口面と垂直方向に凹面側に向かって折曲部を有し、前記折曲部に切り欠きを設け、側面からも液体が流出可能であることを特徴とする、請求項１に記載の吐出口
【請求項３】
前記鏡状の板の、凹面側の液体流出孔に近接した箇所に突起を設けたことを特徴とする、請求項１乃至請求項２に記載の吐出口
【考案の詳細な説明】
【技術分野】
【０００１】  本考案は、入浴用水や工業用水等の液体を循環する際に水槽に設ける吐出口に関する。
【背景技術】
【０００２】  従来用いられている吐出口は、頂部に、配管口径と同口径の液体流入用丸孔を有する椀状部材と、前記椀状部材の凸面に設けた、内径が前記液体流入用丸孔と同径の椀状部材高台部と、前記椀状部材の開口部に設けた目皿とで構成されている。これは、前記短管を設備の配管と接続し目皿に設けた複数の孔から液体を吐出するものであるが、配管内を直進して吐出口に流入するため、吐出した液体は慣性の法則により直進方向へ流出しやすく、水槽内で水流が拡散しにくい。【０００３】  従来の吐出口を、浴槽やプール等の入浴用水の循環濾過で用いる場合、処理水を加熱又は冷却して水槽に戻すことがある。このとき水槽内で処理水が拡散しないと、水槽内の湯水の温度が均一にならず、快適に入浴することができなくなったり温度制御に支障を生じたりする。また、入浴用水は塩素剤等で滅菌することが一般的であるが、塩素濃度が均一にならないと、濃度制御に支障を生じたり濃度が薄い部分で菌の繁殖が生じたりする。菌が繁殖するような場所は湯水が濾過装置へ吸い込まれず滞留しているため、濁度等の水質も悪化している可能性がある。
【考案の概要】
【考案が解決しようとする課題】
【０００４】  そこで本考案では、吐出される液体が水槽内でより拡散し、水槽内の液体と均一に混合しやすい吐出口を提供することを目的とする。
【課題を解決するための手段】
【０００５】  本考案では、段落番号０００２で述べた目皿として、平板状ではなく鏡状の板を用いる。鏡状の板の外周部に液体流出孔を設け、本体に固定する。溶接等で固着しても本考案の効果は得られるが、保守性を鑑み、取り外し可能なようにネジ止めするのが好ましい。また、前記液体流出孔の形状は特に制限がなく、例えば長孔、丸孔、角孔などどのような形状でも可能である。【０００６】  前記目皿を固定する本体は、従来の椀状部材を用いるのではなく、短管の一端に顎を有する管フランジ状のものを用いる。顎部と短管部は、別個に製作して溶接等の方法で固着しても良いし、一体で成形しても良い。もう一方の端は、設備への施工時に配管へ接続する部分となる。【０００７】  前記短管より本考案内に流入した液体は、鏡状の板の凹面に衝突し、曲面に沿って外周方向へ向かい、液体流出孔より吐出される。吐出された液体は、本考案の前方へ広く拡散する。このとき、側面にも液体流出孔を設けたり、液体を整流させるために前記鏡状の板の凹面に突起を設けたりすると、液体をより拡散させることができる。
【考案の効果】
【０００８】  本考案を実施すると、吐出される液体が水槽内でより拡散し、水槽内の液体と混合しやすくなるため、吐出される液体と水槽内の液体の温度や薬剤濃度が異なる場合、従来の吐出口と比較して温度や薬剤濃度が均一化しやすい。また、吐出される液体の水流や温度差により水槽内の液体が攪拌されるため、水槽内に滞留水が発生しにくく、濾過循環を行っている場合、濾過の効果も向上する。
【図面の簡単な説明】
【０００９】
【図１】図１は、本考案の平面図である。
【図２】図２は、本考案のＡ−Ａ断面図である。
【図３】図３は、本考案のＢ−Ｂ断面図である。
【図４】図４は、鏡状の板の折曲部に切り欠きを設けた本考案の平面図である。
【図５】図５は、本考案のＣ−Ｃ断面図である。
【図６】図６は、鏡状の板の凹面に突起を設けた本考案のＡ−Ａ断面図である。
【図７】図７は、鏡状の板の凹面に突起を設けた本考案のＣ−Ｃ断面図である。
【実施例】
【００１０】  以下、本考案の実施の形態を、図面とともに説明する。図１は本考案の平面図、図２は本考案のＡ−Ａ断面図である。【００１１】  符号１０の吐出口本体部は、符号１１の液体流入用短管部と、符号１２の吐出口本体顎部からなる。これらは一体として成形しても良いが、本実施例では別個に製作した後に固着した場合を想定して作図している。前記液体流入用短管部の一端即ち吐出口本体顎部が固着されていない側は配管への接続がなされるため、前記液体流入用短管部は配管口径に合わせて製作される。【００１２】  図３は本考案のＢ−Ｂ断面図で、符号１０の吐出口本体部と符号２０の鏡状の板をネジ止めしていることを表している。本体部に固定される符号２０の鏡状の板は、外周部に符号２１の液体流出孔を複数設ける。前記液体流入用短管部より本考案内に流入した液体は前記鏡状の板の凹面に衝突し、曲面に沿いながら外周方向へ移動し、前記液体流出孔より水槽へ流出する。【００１３】  符号１０の吐出口本体部は従来の吐出口のように椀状でも同様の効果を得ることができるが、本考案では管フランジ状になっている。これは、製作費用を抑えることを考慮した形状である。【００１４】  図４は、鏡状の板の側面部に切り欠きを設けた本考案の平面図、図５は、本考案のＣ−Ｃ断面図である。図５で見られるように、前記鏡状の板は折曲部を有しており、折曲部に符号２２の切り欠きを設けることで側面の液体流出孔を成している。強度を考慮し、前記切り欠きの配置は、図４で見られるように符号２１の液体流出孔の間に設けるのが望ましい。【００１５】  図６及び図７は、鏡状の板の凹面に突起を設けた本考案の断面図である。図６は液体流出孔が符号２１のみ、即ちＡ−Ａ断面図であり、図７は、符号２２の切り欠きがあるもの、即ちＣ−Ｃ断面図である。符号２３の突起を設けることで、前記鏡状の板の凹面に衝突し外周方向へ移動した液体が突起によって、一旦前記吐出口本体顎部方向へ方向転換するため、前記液体流出孔又は前記切り欠きへ淀みの少ない状態で流通させることができる。前記突起の形状に限定はないが、例えば前記液体流出孔又は前記切り欠きの位置に点状に設けると前記突起に衝突しない流線が生じ効果が低くなってしまうため、整流効果が高く補強の役割も果たすことができる円状が望ましい。
【産業上の利用可能性】
【００１６】  本考案は、浴槽やプール等の入浴用水槽のほか、工業用水や冷却塔用水等、液体の十分な混合が必要な設備の吐出口に利用可能である。本考案の本体部及び従来の目皿の代わりに有する鏡状の板の材質は、金属や樹脂等限定されるものではないが、ステンレス、チタン、樹脂等の耐蝕性の高い材料を用いると、温泉や化学工場等の腐蝕性の強い成分を持つ液体にも使用可能となる。
【符号の説明】
【００１７】１０    吐出口本体部
１１    液体流入用短管部
１２    吐出口本体顎部
２０    鏡状の板
２１    液体流出孔
２２    切り欠き
２３    突起
【図１】
0003171460.tif 000003
【図２】
0003171460.tif 000004
【図３】
0003171460.tif 000005
【図４】
0003171460.tif 000006
【図５】
0003171460.tif 000007
【図６】
0003171460.tif 000008
【図７】
0003171460.tif 000009